(57)【要約】【課題】固定部に対し支承部の勾配角度を傾動調整し得るように構成したことで様々な勾配角度の屋根に対応使用でき、これにより勾配の異なる数タイプを用意することが不要となって在庫もし易くなる雨樋受具を提供すること。【解決手段】支承部４の基部を固定部２に枢着してこの固定部２に対し支承部４を傾動調整自在に構成し、この枢着部５を支点にして支承部４が固定部２に対し傾動する際に互いに重合する支承部側重合部４Ａと固定部側重合部２Ａとを支承部４の基部と固定部２とに設け、この支承部側重合部４Ａと固定部側重合部２Ａとに夫々止孔６を複数形成すると共に、この夫々に形成した止孔６は、固定部２に対し支承部４が所定の勾配角度に傾動した際に支承部側重合部４Ａのいずれか一つが固定部側重合部２Ａのいずれか一つに連通するように形成位置を設定して、この連通する止孔６に止具７を着脱自在に止着することにより所定の勾配角度で支承部４を固定部２に対し位置決め保持し得るように構成する。【選択図】        図１
2005042360.tif 000002
【特許請求の範囲】
【請求項１】
軒先に固定される固定部に雨樋を支承する支承部を突設して成る雨樋受具において、前記支承部の基部を前記固定部に枢着してこの固定部に対し支承部を傾動調整自在に構成し、この枢着部を支点にして支承部が固定部に対し傾動する際に互いに重合する支承部側重合部と固定部側重合部とを支承部の基部と固定部とに設け、この支承部側重合部と固定部側重合部とに夫々止孔を複数形成すると共に、この夫々に形成した止孔は、固定部に対し支承部が所定の勾配角度に傾動した際に支承部側重合部のいずれか一つが固定部側重合部のいずれか一つに連通するように形成位置を設定して、この連通する止孔に止具を着脱自在に止着することにより所定の勾配角度で支承部を固定部に対し位置決め保持し得るように構成したことを特徴とする雨樋受具。
【請求項２】
前記固定部に板状の前記固定部側重合部を設ける一方、前記支承部の基部に板状の前記支承部側重合部を設け、この板状の固定部側重合部と支承部側重合部とを重合して枢着することで固定部に対し支承部を傾動調整自在に構成し、この重合する固定部側重合部と支承部側重合部とに夫々前記止孔を複数形成したことを特徴とする請求項１記載の雨樋受具。
【請求項３】
前記支承部の前記固定部に対する勾配角度が、少なくとも０勾配，２寸５分勾配，３寸５分勾配，４寸勾配，４寸５分勾配となる各傾動位置のうちのいずれか二つ以上の各傾動位置で、前記支承部側重合部のいずれか一つの前記止孔が前記固定部側重合部のいずれか一つの前記止孔に連通するように各止孔の形成位置を設定したことを特徴とする請求項１，２のいずれか１項に記載の雨樋受具。
【請求項４】
連通する前記止孔に前記止具としてのネジを着脱自在に螺着し得るように構成したことを特徴とする請求項１〜３のいずれか１項に記載の雨樋受具。
【発明の詳細な説明】
【０００１】
【発明の属する技術分野】
本発明は、屋根の軒先に雨樋を固定するための雨樋受具に関するものである。
【０００２】
【従来の技術及び発明が解決しようとする課題】
一般的な雨樋受具は、軒先に固定される固定部に雨樋を支承する支承部を突設した構成となっている。
【０００３】
また、この種の雨樋受具は、屋根の勾配角度に応じて雨樋を適正な角度（例えば水平）で受支承できるように、メーカーが固定部に対し支承部を勾配（傾斜）させたものを複数種（例えば、０勾配用，２寸５分勾配用，３寸５分勾配用，４寸勾配用，４寸５分勾配用など）用意している。
【０００４】
この各種勾配付の雨樋受具は、設計された屋根の勾配に応じたものを使用する（例えば、屋根勾配が２寸５部勾配の場合、２寸５分勾配付の雨樋受具を使用して雨樋を水平に設置する）ことが多いが、建材の寸法誤差などの原因によって設計通りの勾配の屋根ができあがるとは限らず、また、屋根の傾斜方向の長さなどによっては水平に設置した雨樋に上手く集水されないこともあるので、単に設計上の屋根勾配に応じたタイプの雨樋受具を用意するだけでは足りずに、別の勾配タイプの雨樋受具が必要となる場合が往々にしてある。
【０００５】
しかし、上記したように複数の勾配タイプのものが用意されてあるとはいえ、全ての勾配タイプに需要があるとは限らないために、全タイプを常時在庫しているメーカーは少ない。即ち、メーカーでは、比較的需要が多く、すぐに捌ける見込みがあるタイプについては在庫してあっても、需要が少なく、いつ注文があるかもわからないタイプについては在庫しておかないという現状で、在庫のないタイプに注文があった場合には、すぐに対応できずに納期がかかってしまうという問題があった。
【０００６】
また、従来の雨樋受具において、補強構造の付加されていないものであれば、現場で職人が金具を強引に曲げて固定部に対する支承部の勾配角度を任意に調整することもできたが、最近では、補強構造が付加された雨樋受具が主流になりつつあるために、このような強引な現場対応はできなくなってきている。
【０００７】
本発明は、このような現状に鑑み、これを解決するためのもので、固定部に対する支承部の勾配角度を傾動調整して位置決め保持できる構成とすることで、様々な勾配角度に現場で対応して使用することが可能となり、これにより勾配の異なる数タイプを用意することが不要となって在庫もし易くなる画期的な雨樋受具を提供するものである。
【０００８】
【課題を解決するための手段】
添付図面を参照して本発明の要旨を説明する。
【０００９】
軒先１に固定される固定部２に雨樋３を支承する支承部４を突設して成る雨樋受具において、前記支承部４の基部を前記固定部２に枢着してこの固定部２に対し支承部４を傾動調整自在に構成し、この枢着部５を支点にして支承部４が固定部２に対し傾動する際に互いに重合する支承部側重合部４Ａと固定部側重合部２Ａとを支承部４の基部と固定部２とに設け、この支承部側重合部４Ａと固定部側重合部２Ａとに夫々止孔６を複数形成すると共に、この夫々に形成した止孔６は、固定部２に対し支承部４が所定の勾配角度に傾動した際に支承部側重合部４Ａのいずれか一つが固定部側重合部２Ａのいずれか一つに連通するように形成位置を設定して、この連通する止孔６に止具７を着脱自在に止着することにより所定の勾配角度で支承部４を固定部２に対し位置決め保持し得るように構成したことを特徴とする雨樋受具に係るものである。
【００１０】
また、前記固定部２に板状の前記固定部側重合部２Ａを設ける一方、前記支承部４の基部に板状の前記支承部側重合部４Ａを設け、この板状の固定部側重合部２Ａと支承部側重合部４Ａとを重合して枢着することで固定部２に対し支承部４を傾動調整自在に構成し、この重合する固定部側重合部２Ａと支承部側重合部４Ａとに夫々前記止孔６を複数形成したことを特徴とする請求項１記載の雨樋受具に係るものである。
【００１１】
また、前記支承部４の前記固定部２に対する勾配角度が、少なくとも０勾配，２寸５分勾配，３寸５分勾配，４寸勾配，４寸５分勾配となる各傾動位置のうちのいずれか二つ以上の各傾動位置で、前記支承部側重合部４Ａのいずれか一つの前記止孔６が前記固定部側重合部２Ａのいずれか一つの前記止孔６に連通するように各止孔６の形成位置を設定したことを特徴とする請求項１，２のいずれか１項に記載の雨樋受具に係るものである。
【００１２】
また、連通する前記止孔６に前記止具７としてのネジ７を着脱自在に螺着し得るように構成したことを特徴とする請求項１〜３のいずれか１項に記載の雨樋受具に係るものである。
【００１３】
【発明の実施の形態】
好適と考える本発明の実施の形態（発明をどのように実施するか）を、図面に基づいてその作用効果を示して簡単に説明する。
【００１４】
固定部２を屋根Ｙの軒先１に固定し、支承部４に雨樋３を支承すると、軒先１に雨樋３を沿設状態にして固定することができる。
【００１５】
また、本発明では、取付対象である屋根Ｙの勾配角度に応じて支承部４に支承した雨樋３が適正な設置状態となるように、固定部２に対し枢着部５を支点に支承部４を所定の勾配角度に傾動調整することができ、この所定の勾配角度で連通する支承部側重合部４Ａのいずれか一つの止孔６と固定部側重合部２Ａのいずれか一つの止孔６とに止具７を止着することで、この所定の勾配角度（雨樋３の適正な設置状態）で支承部４を固定部２に対し位置決め保持することができる。
【００１６】
従って、この本発明品一つで現場で要求される様々な勾配角度付に調整変更して対応使用することができるので、数種の勾配タイプを用意する必要がなく、よって、この本発明品だけを在庫しておくことで在庫切れによる対応の遅れも回避できるし、確実に需要が見込めるものであるためメーカーも在庫し易いなど、極めて実用性に秀れた画期的な雨樋受具となる。
【００１７】
また、本発明では、支承部側重合部４Ａと固定部側重合部２Ａとに夫々止孔６を複数形成し、この夫々に形成した止孔６は、固定部２に対し支承部４が所定の勾配角度に傾動した際に支承部側重合部４Ａのいずれか一つが固定部側重合部２Ａのいずれか一つに連通するように形成位置を設定して、この連通する止孔６に止具７を着脱自在に止着することにより所定の勾配角度で支承部４を固定部２に対し位置決め保持し得る構成を採用したことにより、位置決め操作もこの位置決め保持構造の製作も容易に行われることとなる。
【００１８】
即ち、本発明の構成の他にも、例えば、固定部側重合部２Ａに前記枢着部５を中心とした円弧に沿って複数止孔を形成すると共に、この止孔に位置を対応させて支承部側重合部４Ａの一箇所に止孔を形成する構成としたり、或いは、固定部側重合部２Ａに前記枢着部５を中心とした円弧状の長孔を形成すると共に、この長孔に位置を対応させて支承部側重合部４Ａの一箇所に止孔を形成する構成としたりすることでも、止具７による位置決め保持構造を実現することは可能である。
【００１９】
しかし、このような構成であると、前者の場合、位置決めしようとする勾配（例えば、０勾配，２寸５分勾配，３寸５分勾配，４寸勾配，４寸５分勾配の各位置など）の差が非常に小さいために、固定部２に形成する複数の止孔の位置が隣接するもの同士でダブッてしまうことになり、位置のダブる複数の止孔を位置精度良く形成することは非常に厄介となってしまう。また、後者の場合、例えば止具７をビスとナットなどの締付止具とし、この止具７を締付固定することで固定部２に対する支承部４の傾動位置を位置決め保持する構成が考えられるが、これでは勾配を精度良く調整する操作が非常に難しくなってしまう上、このことを解消するために、例えば長孔に所定の傾動（勾配）位置での位置決め凹所を連設するような構成とすることは、前者の場合と同様に凹所の位置が隣接するもの同士でダブるために非常に製作が厄介となってしまう。
【００２０】
従って、この本発明と異なるいずれの構成例も、制作上或いは操作上の問題が生じてしまうものである。
【００２１】
この点、本発明のように支承部側重合部４Ａと固定部側重合部２Ａとに夫々止孔６を複数形成すると共に、固定部２に対し支承部４が所定の勾配角度に傾動した際に支承部側重合部４Ａのいずれか一つが固定部側重合部２Ａのいずれか一つに連通するように各止孔６の形成位置を設定した場合には、実施例の項で示すように複数の止孔６の位置をダブらないように形成することが可能となるので、上記の他の位置決め構造に比べて前記条件を満たす複数の止孔６を簡単に形成できることとなり、しかも、所定の勾配角度で固定部側重合部２Ａのいずれか一つの止孔６と、支承部側重合部４Ａのいずれか一つの止孔６とが連通する構成、即ち、所定の勾配角度では固定部側重合部２Ａと支承部側重合部４Ａの止孔６同士が完全に同位置で連通する態様が一態様しかない構成であるから、この止孔６同士が連通する位置を目安にして固定部２に対する支承部４の傾動調整を容易に行うことができるし、この連通する止孔６に間違えることなく止具７を容易に止着することができるなど、操作性にも秀れることになる。
【００２２】
【実施例】
本発明の具体的な実施例について図面に基づいて説明する。
【００２３】
図１〜図８は第一実施例、図９，図１０は第二実施例を示している。
【００２４】
第一実施例について説明する。
【００２５】
本実施例は、断面半円筒形の雨樋３を支承し得る雨樋受具に適用しているもので、軒先１に固定される固定部２に雨樋３を支承する支承部４を突設した構成としている。
【００２６】
本実施例の固定部２は、図１〜図３に示すように、所定形状をなす金属製の板材を略Ｌ状に折曲形成して構成している。
【００２７】
また、この固定部２は、折曲部を境にした一方の板部に、釘や木ネジなどを止着固定するための固定孔１４を形成してこの一方の板部を前記軒先１の鼻隠し１Ａに面接固定するための固定板部２Ｂとし、他方の板部を固定部側重合部２Ａとしている。
【００２８】
本実施例の支承部４は、図１〜図４に示すように、横長の金属板を中間部が下方へ凹となる湾曲帯状に成形すると共に、この湾曲上縁部に湾曲形状の支承板１２を溶着してこの支承板１２上に雨樋３を上方から支承し得るように構成している。
【００２９】
このように支承板１２を溶着したことで、この支承板１２の上板面で雨樋３を安定的に支承できるし、この支承板１２が支承部４自体の補強作用を果たすために、非常に強度の高い支承部４を実現できた。
【００３０】
また、この支承部４の先端部に針金１３を巻き付けるためのフック１１を一体的に形成すると共に、基端部の上部に針金通し孔８を貫通形成し、この通し孔８に通した針金１３を支承板１２上に支承した雨樋３の上に架け渡してフック１１に巻き付けることで、雨樋３を支承部４に固定できる構成としている（図６〜図８参照）。
【００３１】
また、この支承部４の基部側の板部を、前記固定部側重合部２Ａに重合させる支承部側重合部４Ａとしている。
【００３２】
また、本実施例では、この支承部４は、横幅の異なるものを数種類用意し、これらを適宜選択使用することで、軒先１（鼻隠し１Ａ）からの屋根材の出方の違い（突出長の違い）に対応できる構成としている。
【００３３】
具体的には、図５に示すように、支承部側重合部４Ａの存する基部部分だけ横幅寸法を違わせたものを三種類用意した場合を示している。
【００３４】
更に詳しくは、図面の上段に位置するものは出方０の出無タイプ４０を示し、中段に位置するものは出無タイプ４０に対して基部の横幅を５分幅広とした５分出タイプ４１を示し、下段に位置するものは出無タイプ４０に対して基部の横幅を１寸幅広とした１寸出タイプ４２を示している。
【００３５】
従って、この出方の異なるタイプについては、支承部４の基部部分の横幅が異なるだけで他の構造は全く同一であるため、製作が厄介とはならず、この出方の異なる数タイプの支承部４を形成することも容易に行われる構成としている。
【００３６】
尚、本実施例で示した以外の出方の支承部４を構成しても良い。
【００３７】
本実施例では、固定部２の板状の固定部側重合部２Ａと、支承部４の板状の支承部側重合部４Ａとを重合して枢着することで、固定部２に対して支承部４を突設すると共に、この固定部２に対し支承部４を傾動調整自在に構成している。
【００３８】
具体的には、固定部側重合部２Ａの基部側の上部と、支承部側重合部４Ａの基部側の上部寄り位置とに軸支孔９を貫通形成し、固定部側重合部２Ａと支承部側重合部４Ａとを重合してこの各軸支孔９を支軸１０に枢着することで、この支軸１０（枢着部５）を支点に固定部２に対し支承部４を傾動（起伏）回動自在に設けている。
【００３９】
尚、請求項１中の「互いに重合する支承部側重合部４Ａと固定部側重合部２Ａ」なる記載は、支承部側重合部４Ａと固定部側重合部２Ａとが密接状態に重合する構成に限定したものではなく、支承部側重合部４Ａと固定部側重合部２Ａとが多少離れた状態も含む意味合いで用いているものである。
【００４０】
また、本実施例では、この支承部側重合部４Ａと固定部側重合部２Ａとに夫々止孔６を複数形成すると共に、この夫々に形成した止孔６は、固定部２に対し支承部４が所定の勾配角度に傾動した際に支承部側重合部４Ａのいずれか一つが固定部側重合部２Ａのいずれか一つに連通するように形成位置を設定して、この連通する止孔６に止具７を着脱自在に止着することにより所定の勾配角度で支承部４を固定部２に対し位置決め保持し得るように構成している。
【００４１】
具体的には、図３，図５に示すように、固定部側重合部２Ａの下部の四箇所に図面左右方向に並設状態にして止孔６を貫通形成する一方、支承部側重合部４Ａの下部の三箇所に図面左右方向に並設状態にして止孔６を貫通形成し、固定部２に対して支承部４が０勾配，２寸５分勾配，３寸５分勾配，４寸勾配となる各傾動位置で四段階に位置決め保持できる構成としている。
【００４２】
更に詳しくは、固定部２に対して支承部４が０勾配となる状態では、固定部側重合部２Ａの図面右端の止孔６と、支承部側重合部４Ａの図面右端の止孔６とが連通するようにこの夫々の止孔６の形成位置を設定し、この連通する止孔６に止具７を止着することでこの０勾配状態が位置決め保持される構成としている。
【００４３】
また、固定部２に対して支承部４が２寸５分勾配となる状態では、図６に示すように、固定部側重合部２Ａの右から二番目の止孔６と、支承部側重合部４Ａの右端の止孔６とが連通するようにこの夫々の止孔６の形成位置を設定し、この連通する止孔６に止具７を止着することでこの２寸５分勾配状態が位置決め保持される構成としている。尚、この図６では、屋根材の突出度合いに合わせて出無タイプ４０（支承部４）を使用した場合を示している。
【００４４】
また、固定部２に対して支承部４が３寸５分勾配となる状態では、図７に示すように、固定部側重合部２Ａの右から三番目の止孔６と、支承部側重合部４Ａの中央の止孔６とが連通するようにこの夫々の止孔６の形成位置を設定し、この連通する止孔６に止具７を止着することでこの３寸５分勾配状態が位置決め保持される構成としている。尚、この図７では、５分出タイプ４１（支承部４）を使用した場合を示している。
【００４５】
また、固定部２に対して支承部４が４寸勾配となる状態では、図８に示すように、固定部側重合部２Ａの左端の止孔６と、支承部側重合部４Ａの左端の止孔６とが連通するようにこの夫々の止孔６の形成位置を設定し、この連通する止孔６に止具７を止着することでこの４寸勾配状態が位置決め保持される構成としている。尚、この図８では、１寸出タイプ４２（支承部４）を使用した場合を示している。
【００４６】
従って、支承部４の固定部２に対する勾配角度を数段階（本実施例では四段階）に位置決め保持し得るように構成したため、非常に勾配角度調整の幅が広く、様々な勾配角度の屋根Ｙに対応使用でき、非常に実用的となる。
【００４７】
尚、本実施例で示した以外の勾配角度で支承部４を固定部２対して位置決め保持できる構成としても良い。
【００４８】
また、本実施例では、連通する前記止孔６に前記止具７としてのネジ７を着脱自在に螺着し得るように構成している。従って、単に連通させた止孔６にネジ７を螺着するだけの簡単な操作により、支承部４を固定部２に対し位置決め保持できる操作性に秀れた構成としている。
【００４９】
具体的には、固定部側重合部２Ａと支承部側重合部４Ａとの少なくともいずれか一方に形成される止孔６を螺子孔６Ａとし、この螺子孔６Ａと他方に形成された止孔６とを連通させてネジ７（図面ではビス）を螺着することで、ナットなどを要することなく、またナットを要する場合に比して簡単にネジ７を螺着して位置決め保持することができる構成としている。
【００５０】
更に詳しくは、本実施例では、固定部側重合部２Ａに形成した四箇所の各止孔６にバーリング加工を施することで螺子孔６Ａに形成している。従って、この構成によれば、簡易に螺子孔６Ａを形成できる。
【００５１】
従って、本実施例では上述のように構成したから、止孔６（螺子孔６Ａ）とビス７とによる固定部２と支承部４の位置決め保持構造は、簡易に設計実現可能な構成であり、量産性に秀れ安価に構成可能となる。
【００５２】
また、本実施例は、簡単に組み立て可能な構成であり、例えば、固定部２，数タイプの支承部４，止具７，支軸１０を全てバラした状態で提供し、現場で職人が必要なタイプの支承部４を選択して組み立てるような販売形態とすれば、メーカーでの組み立て作業が省けるために一層安価に提供できることになる。
【００５３】
第二実施例について説明する。
【００５４】
本実施例は、断面角形の雨樋３を支承し得る雨樋受具に適用しているもので、前記第一実施例と形は異なるものの機能的には略同様であるため、各部に第一実施例と同様の符号を付すことで詳細な説明は省略する。
【００５５】
また、本実施例では、支承部４の先端部に折曲片１５を一体的に設け、この折曲片１５を雨樋３に折り曲げ係止することで雨樋３を支承部４に固定できる構造とした場合を示している（図１０参照）。
【００５６】
尚、本発明は、本実施例に限られるものではなく、各構成要件の具体的構成は適宜設計し得るものである。
【００５７】
【発明の効果】
本発明は上述のように構成したから、本発明品一つで現場で要求される様々な勾配角度付に調整変更して対応使用することができるので、数種の勾配タイプを用意する必要がなく、よって、この本発明品だけを在庫しておくことで在庫切れによる対応の遅れも回避できるし、確実に需要が見込めるものであるためメーカーも在庫し易くなり、しかも、固定部に対する支承部の位置決め操作もこの位置決め保持構造の製作も容易に行われるなど、極めて実用性に秀れた画期的な雨樋受具となる。
【００５８】
また、請求項２記載の発明においては、固定部に対する支承部の傾動構造並びに位置決め保持構造を簡易に設計実現可能となる一層実用性に秀れた構成の雨樋受具となる。
【００５９】
また、請求項３記載の発明においては、現場での要求に応じて少なくとも二タイプ以上の勾配仕様に調整変更して位置決め保持できる一層実用性に秀れた構成の雨樋受具となる。
【００６０】
また、請求項４記載の発明においては、支承部の固定部に対する位置決め保持操作（ネジ止操作）を極めて容易に行うことができるし、この位置決め保持構造は簡易に設計実現可能であるなど、一層実用性に秀れた構成の雨樋受具となる。
【図面の簡単な説明】
【図１】第一実施例を示す正面図である。
【図２】第一実施例を示す斜視図である。
【図３】第一実施例の分解斜視図である。
【図４】第一実施例の雨樋を支承した状態を示す斜視図である。
【図５】第一実施例の出方の異なる三種類の支承部並びに固定部を示す分解説明図である。
【図６】第一実施例の使用状態（２寸５分勾配）を示す説明図である。
【図７】第一実施例の使用状態（３寸５分勾配）を示す説明図である。
【図８】第一実施例の使用状態（４寸勾配）を示す説明図である。
【図９】第二実施例を示す斜視図である。
【図１０】第二実施例の雨樋を支承した状態を示す斜視図である。
【符号の説明】
１  軒先
２  固定部
２Ａ  固定部側重合部
３  雨樋
４  支承部
４Ａ  支承部側重合部
５  枢着部
６  止孔
７  止具（ネジ）
【図１】
2005042360.tif 000003
【図２】
2005042360.tif 000004
【図３】
2005042360.tif 000005
【図４】
2005042360.tif 000006
【図５】
2005042360.tif 000007
【図６】
2005042360.tif 000008
【図７】
2005042360.tif 000009
【図８】
2005042360.tif 000010
【図９】
2005042360.tif 000011
【図１０】
2005042360.tif 000012